(57)【要約】様々なラッチ機構で作動するように使用されるアクチュエータ（３２）である。一つの実施例において、ラッチ機構は、一体のまたは別体の部品を互いに取付けた回転可能な連結部材と、ハンドル（３２）の揺動によって作動可能なハンドル組立体（２０）を備えるアクチュエータ（３２）とを備える。作動において、アクチュエータはパネルまたは同様な部材に取付けることができ、そしてハンドル（３２）の揺動運動が連結部材の長手軸線に沿って行われる。
2004500497.tif 000002
【特許請求の範囲】
【請求項１】
長手軸線周りで回転するように移動可能な長手方向の連結部材と、
前記連結部材の回転移動に応じて係止状態と非係止状態との間で移動するように、前記連結部材に作動上の関係を持って連結された少なくとも一つの係止組立体と、
前記連結部材を回転させるためのアクチュエータ手段とを具備し、該アクチュエータ手段は、前記連結部材を回転するように移動させるために開いた位置と閉じた位置との間で実質的に前記連結部材の長手軸線に沿って揺動するように移動可能なハンドルを具備する遠隔操作型ラッチ機構。
【請求項２】
前記ハンドルが開いた位置と閉じた位置との間で揺動することで前記連結部材を回転するように移動させるために前記ハンドルと前記連結部材との間の摺動組立体をさらに具備する請求項１に記載の遠隔操作型ラッチ機構。
【請求項３】
前記摺動組立体は摺動部材とクランクとを具備し、前記摺動部材は前記ハンドルが開いた位置と閉じた位置との間で揺動するのに応じてそれぞれ内側位置と外側位置との間でほぼ軸線方向に移動するように前記ハンドルと係合し、前記クランクは該クランクの第一の端部付近で前記摺動部材と係合し、前記摺動部材のほぼ軸線方向への移動に応じて前記連結部材を回転するように移動させるように第二の端部付近で前記連結部材と係合する請求項２に記載の遠隔操作型ラッチ機構。
【請求項４】
前記開いた位置にある前記ハンドルの揺動移動を調整するために、前記摺動組立体は前記摺動部材と係合するケージをさらに具備する請求項３に記載の遠隔操作型ラッチ機構。
【請求項５】
前記アクチュエータ手段は前記ハンドルが揺動されるように連結されるハウジングをさらに具備する請求項４に記載の遠隔操作型ラッチ機構。
【請求項６】
前記ハンドルと前記ハウジングとの間に前記ハンドルを閉じた位置に保持するための保持手段をさらに具備する請求項５に記載の遠隔操作型ラッチ機構。
【請求項７】
前記保持手段の係合を解除するための手段と、前記ハンドルを閉じた位置から開いた位置に向かって付勢するための手段とをさらに具備する請求項６に記載の遠隔操作型ラッチ機構。
【請求項８】
前記クランクの第二の端部は前記連結部材に固定される請求項７に記載の遠隔操作型ラッチ機構。
【請求項９】
前記クランクの第二の端部は非円形開口を備え、前記連結部材の一部は前記非円形開口を通って延び、該非円形開口の形状に対応する断面を有する請求項８に記載の遠隔操作型ラッチ機構。
【請求項１０】
前記クランクは第一の端部付近にほぼ反対側同士の一対のボスを備え、前記摺動部材は前記クランクと前記摺動部材とを係合させるために前記クランクのボスを受容するように、第一の端部付近に実質的に対向する一対の壁を備える請求項８に記載の遠隔操作型ラッチ機構。
【請求項１１】
前記ハンドルは底面と前記底面から延びる突出部とを具備し、該突出部は終端部付近に一対のボスを有し、前記摺動部材は前記ハンドルと前記摺動部材とを係合させるように第二の端部付近に前記ハンドルの前記ボスを受容するためのキャビティを有する請求項１０に記載の遠隔操作型ラッチ機構。
【請求項１２】
前記ケージは該ケージを貫通する開口を具備し、前記摺動部材は該摺動部材を通る前記開口に受容される請求項１１に記載の遠隔操作型ラッチ機構。
【請求項１３】
前記ケージはその内面に対面する一対のボスを備え、前記摺動部材は長手方向に延び且つ前記ケージのボスを受容する実質的に対面する一対の溝を備える請求項１２に記載の遠隔操作型ラッチ機構。
【請求項１４】
前記ケージと前記摺動部材との間の相対移動を制限するための手段をさらに具備する請求項１３に記載の遠隔操作型ラッチ機構。
【請求項１５】
前記ハウジングは前記摺動部材と前記ケージとを受容するキャビティを備え、当該遠隔操作型ラッチ機構は前記ケージと前記ハウジングとの間に前記ハウジングの開口部内で前記ケージの実質的に軸線方向の移動を制限するための手段をさらに具備する請求項１３に記載の遠隔操作型ラッチ機構。
【請求項１６】
前記ケージと前記ハウジングとの間に前記ハウジングの開口部内で前記ケージの実質的に軸線方向の移動を制限するための手段をさらに具備する請求項１５に記載の遠隔操作型ラッチ機構。
【請求項１７】
前記ハンドルと前記ハウジングとの間の前記閉じた位置にあるハンドルを保持するための保持手段と、該保持手段の係合を解除するための手段とは、前記ハンドルに取付けられた係合解除部材とロック用ツメと前記ハウジングの保持部材とを具備し、前記ロック用ツメは前記ハンドルを閉じた位置に保持するように前記保持部材に係合し、前記係合解除部材が作動すると前記保持部材と接触しない引込み位置へ前記ロック用ツメが移動せしめられ、前記ハンドルは前記付勢手段によって開いた位置へ移動せしめられる請求項１６に記載の遠隔操作型ラッチ機構。
【請求項１８】
前記係合解除部材は回転可能なロック用プラグを具備する請求項１７に記載の遠隔操作型ラッチ機構。
【請求項１９】
前記ロック用ツメを延伸位置へ移動させるために前記ロック用ツメは前記ロック用プラグの回転による前記ロック用プラグの延伸によって係合せしめられる壁を備える請求項１８に記載の遠隔操作型ラッチ機構。
【請求項２０】
前記ロック用ツメを前記延伸位置に付勢するためのバネをさらに具備する請求項１７に記載の遠隔操作型ラッチ機構。
【請求項２１】
前記開いた位置に付勢するための手段がバネを具備する請求項２０に記載の遠隔操作型ラッチ機構。
【請求項２２】
前記バネは板バネである請求項２１に記載の遠隔操作型ラッチ機構。
【請求項２３】
前記ハンドルは揺動用ピン周りで揺動するように前記ハウジングに連結される請求項２２に記載の遠隔操作型ラッチ機構。
【請求項２４】
前記揺動用ピンは第一の部分と第二の部分とを備える組立体と、第一の部分と第二の部分との間のバネとを具備する請求項２３に記載の遠隔操作型ラッチ機構。
【請求項２５】
取付ブラケットをさらに具備する請求項２４に記載の遠隔操作型ラッチ機構。
【請求項２６】
係止状態と非係止状態との間で移動する係止組立体を具備し、該係止組立体は少なくとも一つの長手方向の連結部材と該連結部材に係止するための手段とを備え、
前記係止組立体を作動させるためのアクチュエータ手段を具備し、該アクチュエータ手段はハンドル組立体を具備し、該ハンドル組立体はハンドルと、前記ハンドルを開いた位置と閉じた位置との間で揺動させることで前記係止組立体を作動させるような該ハンドルと前記係止組立体との間にある摺動組立体とを有し、前記摺動組立体は摺動部材とクランクとを具備し、前記摺動部材は前記ハンドルが閉じた位置と開いた位置との間で揺動するのに応じてそれぞれ内側位置と外側位置との間で実質的に軸線方向に移動するように前記ハンドルと係合し、前記クランクは前記摺動部材が実質的に軸線方向に移動するのに応じて連結部材を移動させるように該クランクの第一の端部付近で前記摺動部材と係合し、第二の端部付近で少なくとも一つの連結部材と係合する係止機構。
【請求項２７】
前記摺動組立体は前記開いた位置にある前記ハンドルの揺動を調整するように前記摺動部材と係合するケージをさらに具備する請求項２６に記載の係止機構。
【請求項２８】
前記ハンドル組立体は該ハンドルが揺動するように連結されるハウジングをさらに具備する請求項２７に記載の係止機構。
【請求項２９】
前記ハンドルと前記ハウジングとの間に該ハンドルを閉じた位置に保持するための保持手段をさらに具備する請求項２８に記載の係止機構。
【請求項３０】
前記保持手段の係合を解除するための手段と、前記ハンドルを閉じた位置から開いた位置に向かって付勢するための手段とをさらに具備する請求項２９に記載の係止機構。
【請求項３１】
前記クランクの第二の端部は少なくとも一つの前記連結部材に繋止される請求項３０に記載の係止機構。
【請求項３２】
前記クランクの第二の端部は非円形開口を備え、少なくとも一つの前記連結部材の部分が該非円形開口を通って延び、該非円形開口の形状に対応する断面を有する請求項３１に記載の係止機構。
【請求項３３】
前記クランクは第一の端部付近にほぼ反対側同士の一対のボスを備え、前記摺動部材は前記クランクと前記摺動部材とを係合させるために前記クランクのボスを受容するように、第一の端部付近に実質的に対向する一対の壁を備える請求項３２に記載の遠隔操作型ラッチ機構。
【請求項３４】
前記ハンドルは底面と前記底面から延びる突出部とを具備し、該突出部は終端部付近に一対のボスを有し、前記摺動部材は前記ハンドルと前記摺動部材とを係合させるように第二の端部付近に前記ハンドルの前記ボスを受容するためのキャビティを有する請求項３３に記載の遠隔操作型ラッチ機構。
【請求項３５】
前記ケージは該ケージを貫通する開口を具備し、前記摺動部材は該摺動部材を通る前記開口に受容される請求項３４に記載の遠隔操作型ラッチ機構。
【請求項３６】
前記ケージはその内面に対面する一対のボスを備え、前記摺動部材は長手方向に延び且つ前記ケージのボスを受容する実質的に対面する一対の溝を備える請求項３５に記載の遠隔操作型ラッチ機構。
【請求項３７】
前記ケージと前記摺動部材との間の相対移動を制限するための手段をさらに具備する請求項３６に記載の遠隔操作型ラッチ機構。
【請求項３８】
前記ハウジングは前記摺動部材と前記ケージとを受容するキャビティを備え、当該遠隔操作型ラッチ機構は前記ケージと前記ハウジングとの間に前記ハウジングの開口部内で前記ケージの実質的に軸線方向の移動を制限するための手段をさらに具備する請求項３７に記載の遠隔操作型ラッチ機構。
【請求項３９】
前記ケージと前記ハウジングとの間に前記ハウジングの開口部内で前記ケージの実質的に軸線方向の移動を制限するための手段をさらに具備する請求項３８に記載の遠隔操作型ラッチ機構。
【請求項４０】
前記ハンドルと前記ハウジングとの間の前記閉じた位置にあるハンドルを保持するための保持手段と、前記保持手段の係合を解除するための手段とは、前記ハンドルに取付けられた係合解除部材とロック用ツメと前記ハンドルの保持部材とを具備し、前記ロック用ツメは前記ハンドルを閉じた位置に保持するように前記保持部材に係合し、前記係合解除部材が作動すると前記保持部材と接触しない引込み位置へ前記ロック用ツメが移動せしめられ、前記ハンドルは前記付勢手段によって開いた位置へ移動せしめられる請求項３９に記載の遠隔操作型ラッチ機構。
【請求項４１】
前記係合解除部材は回転可能なロック用プラグを具備し、前記ロック用ツメを伸張位置へ移動させるために前記ロック用ツメは前記ロック用プラグの回転による前記ロック用プラグの伸張によって係合せしめられる壁を備える請求項３９に記載の遠隔操作型ラッチ機構。
【請求項４２】
前記ロック用ツメを前記延伸位置に付勢するためのバネをさらに具備する請求項４０に記載の遠隔操作型ラッチ機構。
【請求項４３】
前記開いた位置に付勢するための手段がバネを具備する請求項４１に記載の遠隔操作型ラッチ機構。
【請求項４４】
前記バネは板バネである請求項４２に記載の遠隔操作型ラッチ機構。
【請求項４５】
前記ハンドルは揺動用ピン周りで揺動するように前記ハウジングに連結される請求項４３に記載の遠隔操作型ラッチ機構。
【請求項４６】
前記揺動用ピンは第一の部分と第二の部分とを備える組立体と、第一の部分と第二の部分との間のバネとを具備する請求項４４に記載の遠隔操作型ラッチ機構。
【請求項４７】
取付ブラケットをさらに具備する請求項４６に記載の遠隔操作型ラッチ機構。
【発明の詳細な説明】
【０００１】
発明の背景
１．発明の分野
本発明は、概して係止機構の分野、特に遠隔操作型ラッチ機構の分野に関する。
【０００２】
２．従来技術の簡単な説明
当該技術分野において多数のタイプの遠隔操作型ラッチ機構が従来から知られており使用されている。なお、本明細書で使用される遠隔操作型ラッチ機構とは、機構の係止動作が機構の係止用アクチュエータ部分から離れた位置でなされる係止機構である。
【０００３】
発明の概要
本発明は、例えば遠隔操作型ラッチ機構等の係止機構で使用されるアクチュエータ装置に関与する。
【０００４】
好適な実施形態の詳細な説明
図面を詳細に参照して本発明のアクチュエータを本明細書に開示する。なお、図中、同様の参照番号は様々な方向から見た同様の要素を示す。種々の異なるタイプの係止機構を作動させるのに本発明のアクチュエータを使用することができ、図中には遠隔操作型ラッチ機構で用いるのに適する本発明のアクチュエータの一つの実施形態を示した。本実施形態において、アクチュエータは、それぞれＲＯｂｅｒｔ　Ｈ．Ｂｉｓｂｉｎｇ氏が発明して本発明の譲受人であるＳｏｕｔｈｃｏ社に譲渡された米国特許第４，８８０，２６１号（以下、「’２６１特許」）および同第５，０６４，２２８号（以下、「’２２８特許」）に開示されたタイプの遠隔操作型ラッチ機構に組み込まれる。これら特許の開示は参照することで本願の一部を構成する。本実施形態において、遠隔操作型ラッチ機構は、アクチュエータと、このアクチュエータに取付けられる連結手段と、この連結手段に取付けられる少なくとも一つの係止組立体とを備える。本実施形態では、この連結手段は、少なくとも一本の連続バー（ｃｏｎｔｉｎｕｏｕｓ　ｂａｒ）または連続ロッドの形態を有し、このバーまたはロッドに遠隔操作型ラッチ機構に組み込まれる各係止組立体が取付けられる。本実施形態の連結手段および各係止組立体の構造および動作は、’２６１特許および’２２８特許に開示された構造および動作と同一であり、簡潔に説明するために、これら特定の特徴を本明細書に記載しないが、’２６１および’２２８特許を参照することでこれら特徴を完全に記載したものとする。簡単に参照できるように、’２６１特許の複写を証拠物件Ａとして本明細書に添付している。
【０００５】
本実施形態のハンドル組立体２０は、その一部としてハウジング３０と、ハンドル３２と、摺動部材組立体とを備え、この摺動部材組立体は本実施形態において摺動部材３４と、ケージ３６と、クランク３８とを具備し、これらの詳細を以下に説明する。
【０００６】
ハウジング３０は、フランジ４０と、フランジ４０の上面に延びると共に内部キャビティ表面４４で終端するキャビティ４２とによって構成される全体的に細長い部材である。さらに、この実施形態におけるハウジング３０は、内部キャビティ表面４４内に開口部４６を備え、この開口部４６はほぼ矩形であって且つ後方端４８に近接して配置された一つの丸みをつけられた端部を有し、底面５０で終端する。さらに、この実施形態では、好ましくは保持部材（ｋｅｅｐｅｒ）が開口部４６内に配置され、この保持部材は本実施形態では、ほぼ矩形の形状であるボス５２を具備し、このボス５２は開口部４６によって構成された側面５４に取付けられると共に底面５０にほぼ垂直である。本実施形態では、この実施形態においてほぼ四角形に形成されたキャビティ５６が底面５０に設けられる。また、この実施形態のハウジング３０は、内部キャビティ表面４４内に延び且つ前方端６０に近接して配置された開口部５８を備える。本実施形態では、この実施形態における開口部５８はほぼ矩形の形状であるのが好ましく、且つハウジング３０を通って延びるのが好ましい。また、ハウジング３０は、開口部５８に近接し且つ開口部５８と前方端６０との間に配置されたキャビティ６２を備える。この実施形態では、キャビティ６２は概して対面する一対の側壁６４によって構成されてほぼ四角形に形成され、これら側壁６４は、これら側壁６４のそれぞれを通って延びるこの実施形態においてほぼ円形状の開口部６６を有する。さらに、本明細書で述べるように、ハウジング３０を取付けるための手段がさらに提供され、本実施形態においてはこの目的のために、少なくとも一つの、好ましくは四つのネジ山付開口部６８または従来のタッピンネジ用の穴が、ハウジング３０の下方外面７０に設けられる。
【０００７】
ハンドル３２は全体として細長く構成され、この実施形態においては、ハウジング３０のフランジ４０の上面に延びるキャビティ４２の形状に対応する形状の周囲表面を備える。例えば、この実施形態では、ハンドル３２は、前方端７４に近接して配置されほぼ四角形に形成されている第一の部分７２と、長手軸線に沿って全体的に細長い第二の部分７６とによって構成され、この第二の部分７６の長手軸線を横断する方向の径は第一の部分７２の径よりも大きい。第二の部分７６は、第一の部分７２から遠位の方の端部において、ハンドル３２の後方端７８に隣接して全体として丸みをつけられた構成である。さらに、この実施形態においては、ハンドル３２は底面７９を備え、この底面７９は該底面７９から延びるプラットフォーム７８を有し、このプラットフォームはこの実施形態において、ほぼ箱状に形成される。さらに、好ましくは、ハンドル３２はキャビティ８０を備え、このキャビティ８０は上面８２内に延在するほぼ円筒状の形状であり、プラットフォーム７８で終端する。さらに、この実施形態において、プラットフォーム７８は開口８４を備えるのが好ましく、この開口８４は底面７９にほぼ垂直に配置されたプラットフォーム７８の四つの側面の一つに配置される。さらに、本実施形態においては、ほぼ三角形の突起８６が設けられ、この突起８６は前方端７４に近接して底面７９から延びる。本実施形態においては、好ましくは突起８６はほぼＴ字形の部分８８で終端する。さらに、この実施形態では、ハンドル３２は一対の細長い溝９０を備え、これら溝９０は、ハンドル３２の長手方向に延びるように底面７９に設けられると共にプラットフォーム７８の両側部に近接して配置される。
【０００８】
また、この実施形態におけるハンドル３２はハウジング３０に対してハンドル３２を閉じた位置に保持するための手段を備え、この手段はこの実施形態ではロック用ツメ（ｌｏｃｋ　ｐａｗｌ）９２を具備する。ロック用ツメ９２はほぼ四角形に形成されており、ほぼ中央を通って延びる半円形の打抜き部分（ｃｕｔ　ｏｕｔ）９４と、第一の端部９８に近接したほぼ四角形の打抜き部分９６と、打抜き部分９６内に配置され且つ第一の端部９８から延びるほぼ円筒状のボス９９と、第一の端部９８から遠位方の第二の端部１００上の傾斜カム面１０２およびロック面１０４とを備える。ロック用ツメ９２の組立て方法および作用は以下に詳述する。
【０００９】
本実施形態において、摺動部材３４はほぼＺ字形に形成され、二つのほぼ箱状のプラットフォーム１０６および１０８と、これらプラットフォーム１０６と１０８とを連結するほぼ矩形の連結部分１１０とを具備する。プラットフォーム１０６は、連結部分１１０から遠位の方の外面にほぼ四角形に形成されたキャビティ１１２を備え、且つ表面１１６においてキャビティ１１２内に延びるほぼ矩形に形成された打抜き部分１１４を備える。連結部分１１０は反対側同士の表面１１８および１２０を備え、プラットフォーム１０６は表面１１８に取付けられ、プラットフォーム１０８は表面１２０に取付けられる。プラットフォーム１０８はプラットフォーム１０６から遠位の方の連結部分１１０の第二の端部に隣接して取付けられ、プラットフォーム１０６は連結部分１１０の第一の端部に隣接して取付けられる。さらに、連結部分１１０は反対側同士の両側面に溝１２２を備え、これら溝は連結部分の長手軸線に沿って延びる。プラットフォーム１０８は、側面１２６においてキャビティ１２８内に延びる矩形のキャビティ１２４を構成し、キャビティ１２８は、連結部分１１０の長手軸線の横方向にプラットフォーム１０８を通って延びるＴ字形に形成される。
【００１０】
本実施形態において、ケージ３６は、対向する側壁１３０を有するほぼ箱状の構造であり、各側壁１３０はほぼ円筒形の二つのボス１３２を有し、これらボス１３２は互いにほぼ整列せしめられると共に側壁１３０を形成する四つの角のうちの二つに近接して配置される。さらに、この実施形態では、各側壁１３０は、単一のほぼ三角形のボス１３４を備え、このボス１３４は第三の角に近接して配置され且つ二つのボス１３２の一方とほぼ整列せしめられる。この実施形態において、さらにケージ３６は側壁１３０に隣接する連結壁１３６を備え、この連結壁１３６は該連結壁１３６を通るほぼ四角形状のキャビティを有し、このキャビティは連結壁１３６の一つの端部に隣接して配置され、且つボス１３４に近接して位置する側壁１３０の一つの端部とほぼ整列せしめられる。さらに、この実施形態において、ケージ３６は連結壁１３６と対向する第４の側壁１４０を通って延びるほぼ矩形形状の打抜き部分１３８を備える。さらに、この実施形態においてケージ３６は、ケージ３６を通って長手方向に延びると共に第四の側壁１４０を通る打抜き部分１３８内に延びるほぼ矩形形状のキャビティを備える。本実施形態におけるケージ３６はまた、第四の側壁１４０を通って延びる打抜き部分１３８によって形成されるボス１５８を備える。
【００１１】
この実施形態においてクランク３８はほぼＬ字形の部材であり、このＬ字形部材は、その一方の端部に配置されたほぼ円筒形の連結部材１４２を有すると共にこの連結部材１４２を通って長手方向に延びる開口１４４を備え、この開口１４４はこの実施形態ではほぼ六角形状であるが、後述するのと同じ目的のために他の形状を使用してもよいことが理解されるべきである。また、クランク３８は連結部材１４２から遠位の方の第二の端部を備え、この第二の端部は、それぞれがほぼ円筒状に構成された反対側同士にある一対のボス１４６によって構成されるほぼＴ字形の形状である。加えて、この実施形態において、クランク３８はまた、その第一の端部と第二の端部とを結び付ける連結部分１４８を備え、この連結部分１４８はその中に延在するほぼＣ字形のキャビティをそれぞれ有する反対側同士の側壁を備える。
【００１２】
上述したハンドル組立体２０の構成要素は、任意の適切な材料で構成されることができ、任意の様々な製造工程から製造することが出来る。例えば、ハウジング３０、ハンドル３２、摺動部材３４およびクランク３８はダイカストで製造した亜鉛（ｄｉｅ　ｃａｓｔ　ｚｉｎｃ）で形成することができ、ケージ３６およびロック用ツメ９２はポリカーボネートから製造することができる。加えて、上述した各構成要素は単一要素として製造されてもよいし、あるいは、別体の要素として製造されてから共に固定されてもよい。例えば、ハウジング３０は一体として鋳造されてもよいし、または、底面５０が、任意の適切な工程によって開口部４６に隣接してハウジング３０に固定される別体の要素として設けられてもよく、この任意の適切な工程とは例えば、別体の底面５０のまわりにおいてハウジング３０の一つ以上の部分を打ち付け（ｐｅｅｎｉｎｇ）、必要であれば、適切な量のシリコン等の密封材料を用いること等である。
【００１３】
分解斜視図および断面図に関連して、ハンドル組立体２０の前述した構成要素からなる組立体を説明する。プラットフォーム７８に設けられた開口８４にロック用ツメ９２を挿入することによって、ロック用ツメ９２がハンドル３２に取付けられる。さらに、ロック用ツメ９２を駆動させる駆動手段が、ハンドル３２の上面８２内に延在するキャビティ８０内に位置決めされて、ロック用ツメ９２の半円形状の打抜き部分９４内に延びるように設けられるのが好ましい。この実施形態においては、ロック用ツメ９２を駆動させるための異なる変更例の駆動手段、例えば通常のロック用具または他の形態のロック用プラグ、例えばＤＩＮロック用プラグを設けることもできる。そして、これら駆動手段は、例えばキーまたは他の工具、電子的キー、もしくは非鍵型式の回転可能なアクチュエータまたは押しボタン等によって駆動させられる。さらに、理解されうるように、ハンドル３２を通って延びるキャビティ８０の寸法および形状、ならびにロック用ツメ９２内の打抜き部分９４の形状を、ロック用ツメ９２を駆動させる駆動手段の特定の形状に応じて要求されるように変更することができる。図示した実施形態においては、通常のロック用プラグ１５２がハンドル３２の円形キャビティ８０内に位置決めされて半円形状の打抜き部分９４を通ってロック用ツメ９２を通過する。さらに、この実施形態においては、バネ１５４、例えば通常のステンレス鋼製圧縮バネが打抜き部分９６内に位置決めされて、ロック用ツメ９２を延伸位置まで付勢するようにロック用ツメ９２のボス９４とハンドル３２の表面とに押し当てられる。
【００１４】
本実施形態においては、ハンドル３２が、例えばステンレス鋼製の通常の揺動用ピン１５６によって、ハウジング３０に取付けられる。揺動ピン１５６はハウジング３０の側壁内の対向するキャビティと前方端７４に隣接して位置決めされたハンドル３２内の開口とを通って延びる。揺動用ピン１５６を取付位置に保持するために、揺動用ピン１５６の端部を打ち付けてもよい。さらに、ハンドル３２が摺動用キャビティ１１２とプラットフォーム１０６の打抜き部分１１４とに位置決めされることによって、ハンドル３２は摺動部材３４に取付けられる。
【００１５】
摺動部材３４がケージ３６内に受容されて、第四の側壁１４０により形成される二つの細長いボスが摺動部材３４の両側部内に設けられた反対側同士の溝１２２内に位置決めされる。本実施形態においては、ケージ３６を通って長手方向に延びるほぼ矩形のキャビティに対して摺動部材３４のプラットフォーム１０６がプラットフォーム１０８よりも接近するように、ケージ３６が摺動部材３４に対して位置決めされる。
【００１６】
ケージ３６は、ハウジング３０を通って延びるほぼ矩形のキャビティ内に位置決めされる。ケージ３６の連結壁１３６がハウジング３０の前方端６０に最も接近するように位置決めされ、連結壁１３６の打抜き部分１３８がボス１３２よりもハウジング３０のフランジ４０に接近するように位置決めされるのが好ましい。本実施形態において、ハウジング３０には、ケージ３６の側壁１３０に設けられた四つのボス１３２を受容するように位置決めされる四つの打抜き部分１６０が設けられるのが好ましい。
【００１７】
クランク３８は二つのボス１４６によって摺動部材３４に取付けられており、これらボスは摺動部材３４のプラットフォーム１０８内のキャビティ１２８内に位置決めされる。前述したように、遠隔操作型ロック機構において動作するための本実施形態のハンドル組立体２０は、クランク３８の部材１４２内の開口１４４内に延びる連結手段、例えばバーまたはロッドに取付けられる。
【００１８】
さらに、図示したように、付勢手段、例えばステンレス鋼製の板バネ１７１をハンドル３２に設けて、ハンドル３２の係止が解除された後に後述するように開いた位置に向かうハンドル３２の移動を吸収することもできる。
【００１９】
本実施形態のハンドル組立体２０の設置状態および動作状態を説明する。前述したように、本発明に基づくアクチュエータを様々なタイプの係止機構で利用することができる。本実施形態においては、ハンドル組立体２０は、特に遠隔操作型ロック機構、例えば’２６１特許および’２２８特許に図示されたタイプの遠隔操作型ロック機構によって使用されるようになっている。しかしながら、理解されるように、ハンドル組立体２０を他のタイプの遠隔操作型ロック機構、例えば回転式ロッドまたはバーを備える形式、例えばバーまたはロッドが回転することにより回転可能な固定式ロック部材を組み入れている形式の遠隔操作型ロック機構を利用することもできる。設置に関して、ハンドル組立体２０を取付けるべき構造体に開口部を設けるのが好ましく、本実施形態においては、このハンドル組立体は開口部内に位置決めされたハウジングと、この構造体の一面に対して位置決めされたハウジング３０のフランジとを提供する。’２６１特許および’２２８特許においては、遠隔操作型ロック機構が取付けられる構造体は、ハンドル組立体が取付けられるドアと固定式フレームとを有する典型的なキャビネット構造体であり、そうでない場合には、本発明のハンドル組立体および対応する遠隔操作型ロック機構を使用できる他の形式の適用例が存在することを理解すべきである。
【００２０】
さらに、本実施形態においては、ハンドル組立体２０を各構造体内のハンドル組立体２０用の取付位置に固定する固定手段を備えているのが好ましい。この目的のために、二つの対向する側壁１７２と連結壁１７４とにより形成されるほぼ矩形の細長部材を具備するブラケット１７０が設けられる。本実施形態においては、連結壁には整列した一対の開口部１７６、１７８が設けられており、これら開口部はこの実施形態においてはハウジング３０の部分１８０、１８２の形状に対応するよう形成される。この実施形態においては、ブラケット１７０は低炭素鋼から形成されているのが好ましいが、同じ目的のために他の適切な材料を利用してもよい。設置時において、ハウジング３０の部分１８０、１８２が開口部１７６、１７８内に受容されるようにブラケット１７０を位置決めする。ブラケット１７０の二つの側壁１７２の遠位端は構造体の表面に当接するように位置決めされるのが好ましい。この構造体の反対側にはハウジング３０のフランジが位置決めされる。そして、前述したように、ハウジング３０内のタッピンネジのための少なくとも一つ、本実施形態においては四つのネジ山付き開口部またはネジ山付き孔と、ブラケット１７０の連結壁１７４を通って延びる対応する開口部と、ブラケット１７０内の開口部を通ってハウジング３０内のネジ山付き孔内に延びる従来のネジ部材とを具備する取付部材が設けられる。
【００２１】
所定の構造体内に固定された時に遠隔操作型ロック機構を作動させるためのハンドル組立体２０の動作を説明する。一般的に、ハンドルの揺動運動は、遠隔操作型ロック機構の連結手段の回転運動に対応する。本実施形態においては、ハンドル３２はハウジング３０内に入り込んだ閉じた位置と、開いた位置との間で揺動することができる。閉じた位置から所望の量だけハンドル３２を揺動運動させることができ、本実施形態においてはハンドル３２が完全な開放状態にあるときには、閉じた位置から約９０度の位置に位置決めされる。ロック用ツメ９２とハウジング３０内のボスとの間の係合作用によって、ハンドル３２は閉じた位置に保持される。また、例えばハンドル３２を閉じた位置に向かって移動させる時に、ロック用ツメ９２のカム面１０２が最初にハウジング３０のボス５２と係合すると、ロック用ツメ９２は圧縮バネ１５４に逆らって引込み位置に向かって移動せしめられる。ハンドル３２が閉じた位置にくると、ロック用ツメ９２は延伸位置に向かって戻るよう移動し、それによりロック面１０４がハウジング３０のボス５２に当接せしめられるようになる。本実施形態においては、ハンドル３２が閉じた位置にあるときには、ハンドル３２の上面８２はフランジ４０の外面に対してほぼ同一平面に位置決めされるのが好ましい。
【００２２】
本実施形態においては、適切なキーによってロック用プラグ１５２を回動させることによって、ハンドル３２を閉じた位置から上昇させることができる。ロック用プラグ１５２を回転させることによって、ロック用プラグ１５２がロック用ツメ９２内の半円形状の打抜き部分９４内において回転し、これによりロック用ツメ９２は引込み位置に向かって移動することになる。本実施形態においては、ハンドル３２に設けられたバネがハンドル３２を開いた位置に向かって移動させ、それにより、操作者はハンドル３２を容易に把持することができるようになる。操作者がハンドル３２を開いた位置に向かって移動させることによって、後述するように、連結手段が対応して回転し、連結手段と共に取付けられた係止部材が対応して動作する。本実施形態においては、ハンドル３２が閉じた位置から部分的に回転することによって、摺動部材３４およびクランク３８の組み合わせがわずかに動作するか、または好ましくは動作せず、従って連結手段は回転しない。好ましくは、本実施形態においては、このような動作によって、ハンドル３２の位置が閉じた位置から約１０度だけ移動する。この位置はロック用ツメ９２の係合が解除されてからハンドル３２がバネにより移動される位置である。
【００２３】
本実施形態では操作者によってハンドル３２が回転することにより、ハウジング３０を通って延びる開口部内で摺動部材３４が摺動せしめられ、この摺動により摺動部材３４に取付けられたクランク３８が対応する回転を行う。この実施形態においてケージ３６は、開いた位置に向かうハンドル３２の揺動量が増加するように設けられる。特に、ハンドル３２が回転すると、ケージ３６はハウジング３０を通って延びる開口内で浮動することができるようになる。作動においてケージ３６は、一般的に摺動部材３４の移動方向に追随する。さらに、ハンドル３２が完全に開いた位置に向かって移動する際に、摺動部材３４とケージ３６とは入れ子式に作動し、これによりハンドル３２のその開いた位置に向かう移動量を増加させることができるようになる。さらに、ハンドル３２がその十分に開いた位置にある時に、この実施形態ではＴ字形の部分８８は打抜き部分１１４に隣接したプラットフォーム１０６内において連結部分１１０から遠位の方に配置される。さらにハンドル３２が、その最大に開いた位置から部分的に閉じた位置に向かって移動する際に、ハンドルのＴ字形の部分８８は連結部分１１０に向かってほぼ斜めの方向に移動する。ハンドル３２が本実施形態の閉じた位置から一般的に６０度である特定の位置にあるときに、本実施形態のハンドル３２のＴ字形の部分８８は、連結部分１１０と係合する。この実施形態では、ハンドル３２がその最大に開いた位置から、その部分的に閉じた位置へ移動するときに、摺動部材３４とクランク３８との組合せの動きはほとんど生じず、さらには全く生じないことが好ましく、このことはハンドルがその閉じた位置からその開いた位置へ移動する状況でも同様である。この実施形態において、ハンドルの十分に開いた位置への移動範囲は、連結バーまたは連結ロッドに伝達される回転量に対応する。
【００２４】
さらにケージ３６がハウジング３０を通る開口部内でその位置を保持するような手段が設けられ、摺動部材３４の位置をケージ３６内に保持するような同様な手段が摺動部材３４とケージ３６との間に設けられる。この実施形態においては、ケージ３６のボス１３４がハウジング３０内の位置にケージ３６を保持するように作動するのが好ましく、また、ボス１５８の端部に配置される盛り上がったボス１９０が、各溝１２２の端部に設置される停止部１９２と係合することによって、摺動部材３４を保持するように作動するのが好ましい。加えて、本実施形態において、摺動部材３４の反対方向への動きは、ケージ３６の壁１９６に接する摺動部材３４の壁１９４により制限されるのが好ましく、特に摺動部材３４が、入れ子機構を元に戻して摺動部材３６にケージ３６を確保しないで戻ることはできないのが好ましい。
【００２５】
また、摺動部材３４はハンドル組立体２０が取付けられるより厚いまたはより薄い構造体に収容されるようにより長いまたはより短い別の形状であってもよい。例えば図では、例としてより薄い構造に収容されるように摺動部材３４より長さが短い摺動部材２３４を図示した。
【００２６】
加えて、図示していないが、ハンドル組立体２０は、例えばハウジングに取付けられていてハンドルが閉じた位置にある時にハンドルを通る開口を通って延びるパッドロック型留め金（ｐａｄｌｏｃｋ　ｈａｓｐ）を具備してもよく、この時パッドロックはハンドルを閉じた位置に保持するようにパッドロック留め金に繋止することができる。パッドロック留め金は、例えばステンレス鋼等の任意の適当な材料であってよい。
【００２７】
本発明のハンドル組立体の別の実施形態を図７５〜８１に図示する。本実施形態のハンドル組立体３２０は、構造および機能の両面に関してハンドル組立体２０に関して既に詳述した形態の多くと同様であり、このため、説明を簡潔にするためにハンドル組立体２０に対するハンドル組立体３２０の相違点のみを製津瞑する。さらに説明を容易にするために、ハンドル組立体２０の部分と同様なこの実施形態の部分に３００番台の同じ参照番号を用いて説明する。
【００２８】
図８２〜８４には、図７５に示したハンドル組立体３２０のハウジング３３０を図示した。この実施形態のハウジング３３０は開口３５８の周りにリブ３３１を備えており、このリブ３３１は後述するハンドル３３２に設けられるガスケット用の能動的シールエッジを構成する。さらに、この実施形態の第二のタブ３３３が、タブ３５２に対向する壁の凹部３５０内に付加される。例えば、ハンドルが閉じた位置に移動した時にロック用ツメがタブ３３３と係合するように配置されたような様々な形状のハンドルに同一のハウジングを用いることができるように、タブ３３３が設けられる。
【００２９】
図８５には、図７５に示したハンドル組立体３２０のハンドル３３２を図示する。ハンドル３３２は例えばゴム製等の弾性材料製のガスケット３３７を備え、このガスケット３３７は突起３８６を囲んでおり、ハンドルが閉じた位置にある時にハウジング３３０のリブ３３１に係合するように配置される。この実施形態のハンドル３３２はまた、後述するロック用ツメの捕獲部分（ｃａｔｃｈ　ｐｏｒｔｉｏｎ）を受容するためにプラットフォーム３７８の底部に開口部３３５を具備する。
【００３０】
ハンドル組立体３２０のロック用ツメ３９２を図８７〜９０に示す。ロック用ツメ３９２はその底面から延びる捕獲部分３３９を備え、この捕獲部分３３９はこの実施形態においてほぼ四角形であって一つの端部において底面に取付けられており、傾斜する終端部を備える。ロック用ツメ３９２は、捕獲部分３３９がハンドル３３２の開口部３３５内に配置されるように組み立てられ、開口部３３５はハンドル３３２に対してロック用ツメ３９２を能動的に受容するように作用する。さらに、この実施形態では、ロック用ツメ３９２は少なくとも一つの、好適には二つの延伸部分３４１を具備し、この延伸部分３４１は図示した実施形態において一般的に矩形である。延伸部分３４１は、例えば図５９に図示したロック用プラグ１５２のようなロック用プラグの駆動カムとより広い接触領域を提供するように作用する。
【００３１】
ハンドル組立体３２０の摺動部材３３４を図９１〜９３に示す。この実施形態の摺動部材３３４は、一般的に三角形で前面から延びる延伸部分３４３を具備する。作動において、延伸部分３４３の面３４７は（図８４に示したような）ハウジングの開口３５８の底壁３４５と接触するのに適する。延伸部分３４３とハウジング３３０とが係合することにより、ハンドル３３２に開く力が加えられた場合に、摺動部材３３４が傾くことを抑制され、好適には防止される。前記の傾斜は作動中に生じるモーメントが原因であり、特には（図８５に示した）ハンドル３３２の突起３８６のＴ字形の部分３８８は、突起８８、摺動部材３４およびクランク３８と共に図６２に図示したように、摺動部材３３４とクランク３３８との間で接触するように、同一水平面において摺動部材３３４に接触しない。ハンドル３３２が完全に閉じられた場合、特にこのことが（図８５に図示したような）ハンドル３３２の突起３８６の面３５５、３５７の一方または両方と、（図９３に図示したような）延伸部分３４３の面３５１、３５３の一方または両方とが接触することによって生じる場合に、延伸部分３４３は摺動部材３３４を正しい閉じた位置に押し出すように使用される。この関係により、閉じる方向において上述した同じ傾斜動作に打ち勝つことができるようになる。
【００３２】
図８６には、ハンドル４３２の別の実施形態を図示し、この実施形態では突起４８６から延びる突起部分４４３が設けられている。突起部分４４３は、摺動部材３３４と同様な形態で、ハンドル３３２に対して摺動部材３３４をその正しい位置に促すように摺動部材３３４と協働するよう作用する。
【００３３】
図９４にハンドル組立体３２０のケージ３３６を図示する。この実施形態のケージ３３６は、ケージ３６のボス１３４より大きい寸法の二つのボス４３４を備え、これらボス４３４はこれらの部分の強度が上がるように作用する。
【００３４】
図９５にハンドル組立体３２０のクランク３３８を図示する。この実施形態においてボス４４６は、クランク３３８を通る開口にステンレス等のピンを圧入することにより形成されるのが好ましい。さらにクランク３８と比較すると、本実施形態のクランク３３８の反対側同士の側壁４４８からはＣ形状のキャビティが除去されている。本実施形態のクランク３３８は、例えば積層薄板または粉末金属等のステンレス鋼やアルミニウム押出し成型品により製造されるのが好ましい。これのような変更は作動部位において許容される最大曲げ応力を大きくするように作用する。
【００３５】
ハウジング３３０およびハンドル３３２を取付けるための機構について説明する。図９６および図９７に一つの実施形態を示す。図示したように、ブッシュ５１０がほぼ管状であって終端部にボスを有するように形成され、そしてハンドル３３２の揺動端内の一対の開口に挿入される。その後、例えばゴム等の弾性シール部材の一対のＯリング５１２がブッシュ５１０のボスに配置されるのが好ましい。例えば図２のばね１７１と同様のキックアウト（ｋｉｃｋ−ｏｕｔ）ばね５７１が、ハンドル３３２内に配置される場合に、この実施形態では、ブッシュ５１０の周りに挿入される。構成要素を共に固定するために、固定部材５１４がブッシュ５１０とハウジング３３０の両側壁を通って延びる各開口とを通るように挿入され、例えば、本実施形態の固定部材５１４は金属製等のリベットを具備しており、一方の端部に頭部を備え、上述の構成要素内に配置される時にその終結端部を打ち付けられる。
【００３６】
ハンドル３３２およびハウジング３３０を取付ける機構の他の実施形態を図９８に示す。この実施形態において、Ｏリング６１２はハウジング３３０の両側でリベット６１４上に位置決めされる。Ｏリング６１２は一端でリベット６１４の頭部により、かつ他端でリベット６１４を打ち付けることによりハウジング３３０の外面に対して圧縮される。また、キックアウトばね６７１が設けられかつハンドル３３２からリベット６１４の周りに位置決めされることが好ましい。
【００３７】
ハウジング３３０にハンドル３３２を取付ける機構の更に他の実施形態が図９９〜１０１に示されている。この実施形態において、この機構はそれぞれ内ピン７１４および外ピン７１５と、内ピン７１４と外ピン７１５との間にコイルバネ７１６等の付勢手段とを備える二部構成ピン組立体から成る。図１０１の断面図に示したように、ピン７１４および７１５の各々は一端にキャビティおよび他端にボスを備える。この実施形態において、外ピン７１５のキャビティの寸法は内ピン７１４のキャビティよりも大きい直径を有するような寸法であり、これにより内ピン７１４の外ピン７１５内のキャビティへの挿入が可能になり、かつコイルバネ７１６が二つのピン７１４および７１５間の各キャビティ内に位置決めされる。Ｏリング７１２は最後にピン７１４および７１５のボス上に位置決めされる。作用として、コイルバネ７１６の力に抗して内ピン７１４と外ピン７１５とを圧縮することによりハンドル３３２およびハウジング３３０を取付けることができるようになる。コイルバネ７１６は構成要素を共に固定するように内ピン７１４と外ピン７１５とを離れるように付勢する。キックアウトばね７７１が同様に設けられ、そのピン組立体上に取付けられてよい。
【００３８】
図１０２および１０３において、摺動部材２３４のような、薄い構造体を収容するために長さの短い摺動部材の他の実施形態を示す。この実施形態における摺動部材４３４は、摺動部材２３４と比較すると、ほぼ三角形のノーズ延伸部分４３５と、ほぼＬ字形の棚底延伸部分４３７とを備え、後者は組立て時にクランクとの接触領域を形成する。
【００３９】
図１０４および１０５において、ハンドル組立体３２０の取付ブラケット３７０を示した。取付ブラケット１７０と比較すると、取付ブラケット３７０は曲げ強さを増すために付加的肋材を設置することができるように設計されたダイカストで製造した亜鉛を有することが好ましい。
【００４０】
上述の観点から、本発明のアクチュエータが単独でも、係止機構、例えば遠隔操作型ラッチ機構との組合せにおいても幾つかの利点を有することは理解されるであろう。上記実施形態の一つの利点は、ハンドル組立体から成るアクチュエータがパネルに取付けられるときに垂直配向で位置決めできることである。これはパネル内に水平配向で取付けられる他のタイプのアクチュエータとは対照的に取付け空間を縮小する。
【００４１】
本発明の他の利点は、上記実施形態におけるハンドル組立体が支持ハウジングのベゼルに面一に設置され、これによりてこ作用点を減少させることであり、これは美観を損ねやすいことを抑制する効果を有する。
【００４２】
本発明のアクチュエータの他の利点は、アクチュエータが遠隔操作型ラッチ機構の連結手段に高レベルのトルクを付与するに充分な機械的強度を有することであり、これは激しい使途に必要とされる。
【００４３】
本発明のアクチュエータの他の利点は、広範囲の厚さのパネルに適用できることである。
【００４４】
本発明のアクチュエータの更に他の利点は、ハンドルを閉じた位置で保持するために複数の異なる装置を使用できることであり、例えば、鍵操作錠プラグ、電子キー、または工具操作スラム係止をハンドルを閉じた位置に固定するために組み合わせることができる。更に、他のロック無用機構、例えば、回転自在またはプッシュボタン操作部材により作動する回転または摺動部材爪等、がハンドル３３２を閉じた位置で保持するために組み込むことができる。更に、付加的安全装置、例えば従来パッドロック装置等、を含んでよい。
【００４５】
本発明のアクチュエータの更に他の利点は、電気通信に対するＥＭＣのごとく、高圧ジエット流および風雨等の種々の形態の物質に対してアクチュエータを遮蔽できることである。例えば、ガスケット材がフランジの下側上に、またはフランジの下側内の溝に含まれてよい。同様に、ガスケット材がハンドルとハウジング間に含まれてよく、例えば、適当厚のガスケットシールにより矩形開口部５８を封鎖するために、ハンドルの下側上にまたは開口部の周辺を囲うハウジング上に設置されてよい。
【００４６】
本発明の他の利点は、左手ドアまたは右手ドアまたは他のパネルに容易に適用できることである。
【００４７】
本発明の他の特点は、ハンドル組立体を、例えば３つの係止部材等複数の係止点が所望される遠隔操作型ラッチ機構に利用できることであり、これは単一連結棒またはロッドが利用できるという特性に本来的に必要なことである。
【００４８】
本発明のアクチュエータの他の利点はその用途（フランジ厚）の外側に限定的突起、かつケージおよび摺動部材の格納のためにその用途の内側に限定的突起が設けられていることである。
【００４９】
当業者に理解されるように、広義発明概念から逸脱することなく本発明の上記実施形態によって種々変更が可能である。従って、本発明は上記特定実施形態に限定されることなく、特許請求の範囲に記載の発明の範囲および精神の範囲内のあらゆる改良を含むことが意図されている。
【図面の簡単な説明】
【図１】本発明の実施形態のハンドル組立体の斜視図である。
【図２】本発明の実施形態のハンドル組立体の分解斜視図である。
【図３】本発明の実施形態のハンドル組立体の左側面図である。
【図４】本発明の実施形態のハンドル組立体の背面図である。
【図５】本発明の実施形態のハンドル組立体の平面図である。
【図６】本発明の実施形態のハンドル組立体の正面図である。
【図７】本発明の実施形態のハンドル組立体の右側面図である。
【図８】本発明の実施形態のハンドル組立体の底面図である。
【図９】図１のハンドル組立体のハウジングの平面図である。
【図１０】図９のハウジングの正面図である。
【図１１】図９のハウジングの右側面図であり、左側面はこの鏡像である。
【図１２】図９のハウジングの斜視図である。
【図１３】図１のハンドル組立体のハンドルの底面図である。
【図１４】図１３のハンドルの正面図である。
【図１５】図１３のハウジングの左側面図であり、右側面はこの鏡像である。
【図１６】図１３のハンドルの斜視図である。
【図１７】図１のハンドル組立体のロック用ツメの図である。
【図１８】図１のハンドル組立体のロック用ツメの図である。
【図１９】図１のハンドル組立体のロック用ツメの図である。
【図２０】図１のハンドル組立体のロック用ツメの図である。
【図２１】図１のハンドル組立体のロック用ツメの図である。
【図２２】図１のハンドル組立体のロック用ツメの図である。
【図２３】図１のハンドル組立体のロック用ツメの図である。
【図２４】図１のハンドル組立体のロック用ツメの図である。
【図２５】図１のハンドル組立体のロック用ツメの図である。
【図２６】図１のハンドル組立体のロック用ツメの図である。
【図２７】図１のハンドル組立体の摺動部材の図である。
【図２８】図１のハンドル組立体の摺動部材の図である。
【図２９】図１のハンドル組立体の摺動部材の図である。
【図３０】図１のハンドル組立体の摺動部材の図である。
【図３１】図１のハンドル組立体の摺動部材の図である。
【図３２】図１のハンドル組立体の摺動部材の図である。
【図３３】図１のハンドル組立体の摺動部材の図である。
【図３４】図１のハンドル組立体の摺動部材の図である。
【図３５】図１のハンドル組立体の摺動部材の図である。
【図３６】図１のハンドル組立体のケージの図である。
【図３７】図１のハンドル組立体のケージの図である。
【図３８】図１のハンドル組立体のケージの図である。
【図３９】図１のハンドル組立体のケージの図である。
【図４０】図１のハンドル組立体のケージの図である。
【図４１】図１のハンドル組立体のケージの図である。
【図４２】図１のハンドル組立体のケージの図である。
【図４３】図１のハンドル組立体のクランクの図である。
【図４４】図１のハンドル組立体のクランクの図である。
【図４５】図１のハンドル組立体のクランクの図である。
【図４６】図１のハンドル組立体のクランクの図である。
【図４７】図１のハンドル組立体のクランクの図である。
【図４８】図１のハンドル組立体のブラケットの図である。
【図４９】図１のハンドル組立体のブラケットの図である。
【図５０】図１のハンドル組立体のブラケットの図である。
【図５１】図１のハンドル組立体のブラケットの図である。
【図５２】図２７〜３５の摺動部材の別の実施形態の図である。
【図５３】図２７〜３５の摺動部材の別の実施形態の図である。
【図５４】図２７〜３５の摺動部材の別の実施形態の図である。
【図５５】図２７〜３５の摺動部材の別の実施形態の図である。
【図５６】ハンドルが閉じた位置にある図１のハンドル組立体の平面図である。
【図５７】ハンドルが閉じた位置にある図１のハンドル組立体の断面図である。
【図５８】閉じた位置にあるハンドルを示す図１のハンドル組立体の図５８のラインＡ−Ａに沿った断面図である。
【図５９】閉じた位置にあるハンドルを示す図１のハンドル組立体の図５８のラインＡ−Ａに沿った断面図である。
【図６０】閉じた位置から約１０°ほど開いた部分的に開いた位置にあるハンドルを示す図１のハンドル組立体の図である。
【図６１】閉じた位置から約１０°ほど開いた部分的に開いた位置にあるハンドルを示す図１のハンドル組立体の図である。
【図６２】閉じた位置から約１０°ほど開いた部分的に開いた位置にあるハンドルを示す図１のハンドル組立体の図である。
【図６３】閉じた位置から約６０°ほど開いた部分的に開いた位置にあるハンドルを示す図１のハンドル組立体の図である。
【図６４】閉じた位置から約６０°ほど開いた部分的に開いた位置にあるハンドルを示す図１のハンドル組立体の図である。
【図６５】閉じた位置から約６０°ほど開いた部分的に開いた位置にあるハンドルを示す図１のハンドル組立体の図である。
【図６６】ハンドル上に板バネを備えることを除き、図６３〜６５と同様の図である。
【図６７】ハンドル上に板バネを備えることを除き、図６３〜６５と同様の図である。
【図６８】ハンドル上に板バネを備えることを除き、図６３〜６５と同様の図である。
【図６９】閉じた位置から約９０°ほぼ開いた完全に開いた位置にあるハンドルを示す図１のハンドル組立体の図である。
【図７０】閉じた位置から約９０°ほぼ開いた完全に開いた位置にあるハンドルを示す図１のハンドル組立体の図である。
【図７１】閉じた位置から約９０°ほぼ開いた完全に開いた位置にあるハンドルを示す図１のハンドル組立体の図である。
【図７２】ハンドル上に板バネを備えることを除き、図６９〜７１と同様の図である。
【図７３】ハンドル上に板バネを備えることを除き、図６９〜７１と同様の図である。
【図７４】ハンドル上に板バネを備えることを除き、図６９〜７１と同様の図である。
【図７５】本発明の別の実施形態のハンドル組立体の図である。
【図７６】本発明の別の実施形態のハンドル組立体の図である。
【図７７】本発明の別の実施形態のハンドル組立体の図である。
【図７８】本発明の別の実施形態のハンドル組立体の図である。
【図７９】本発明の別の実施形態のハンドル組立体の図である。
【図８０】本発明の別の実施形態のハンドル組立体の図である。
【図８１】本発明の別の実施形態のハンドル組立体の図である。
【図８２】図７５のハンドル組立体のハウジングの図である。
【図８３】図７５のハンドル組立体のハウジングの図である。
【図８４】図７５のハンドル組立体のハウジングの図である。
【図８５】図７５のハンドル組立体のハウジングの斜視図である。
【図８６】図１のハンドル組立体のハンドルの別の実施形態の右側面図である。
【図８７】図７５のハンドル組立体のロック用ツメの図である。
【図８８】図７５のハンドル組立体のロック用ツメの図である。
【図８９】図７５のハンドル組立体のロック用ツメの図である。
【図９０】図７５のハンドル組立体のロック用ツメの図である。
【図９１】図７５のハンドル組立体の摺動部材の図である。
【図９２】図７５のハンドル組立体の摺動部材の図である。
【図９３】図７５のハンドル組立体の摺動部材の図である。
【図９４】図７５のハンドル組立体のケージの斜視図である。
【図９５】図７５のハンドル組立体のクランクの斜視図である。
【図９６】図７５のハンドル組立体の構成部品の組立体を示す分解斜視図である。
【図９７】図７５のハンドル組立体の構成部品の組立体を示す分解斜視図である。
【図９８】図７５のハンドル組立体の構成部品の別の組立体を示す分解斜視図である。
【図９９】図７５のハンドル組立体の構成部品の組立体の他の実施形態を示す分解斜視図である。
【図１００】図７５のハンドル組立体の構成部品の組立体の他の実施形態を示す分解斜視図である。
【図１０１】ハンドルがハウジングに取付けられる機構を示す図１００のライン１０１−１０１に沿った断面図である。
【図１０２】図９３〜９５の摺動部材の別の実施形態の図である。
【図１０３】図９３〜９５の摺動部材の別の実施形態の図である。
【図１０４】図７５のハンドル組立体のブラケットの図である。
【図１０５】図７５のハンドル組立体のブラケットの図である。
【国際公開パンフレット】
2004500497.tif 000003
2004500497.tif 000004
2004500497.tif 000005
2004500497.tif 000006
2004500497.tif 000007
2004500497.tif 000008
2004500497.tif 000009
2004500497.tif 000010
2004500497.tif 000011
2004500497.tif 000012
2004500497.tif 000013
2004500497.tif 000014
2004500497.tif 000015
2004500497.tif 000016
2004500497.tif 000017
2004500497.tif 000018
2004500497.tif 000019
2004500497.tif 000020
2004500497.tif 000021
2004500497.tif 000022
2004500497.tif 000023
2004500497.tif 000024
2004500497.tif 000025
2004500497.tif 000026
2004500497.tif 000027
2004500497.tif 000028
2004500497.tif 000029
2004500497.tif 000030
2004500497.tif 000031
2004500497.tif 000032
2004500497.tif 000033
2004500497.tif 000034
2004500497.tif 000035
2004500497.tif 000036
2004500497.tif 000037
2004500497.tif 000038
2004500497.tif 000039
2004500497.tif 000040
2004500497.tif 000041
2004500497.tif 000042
2004500497.tif 000043
2004500497.tif 000044
2004500497.tif 000045
2004500497.tif 000046
2004500497.tif 000047
2004500497.tif 000048
2004500497.tif 000049
2004500497.tif 000050
2004500497.tif 000051
【国際公開パンフレット（コレクトバージョン）】
2004500497.tif 000052
2004500497.tif 000053
【国際公開パンフレット（コレクトバージョン）】
2004500497.tif 000054
2004500497.tif 000055
2004500497.tif 000056
2004500497.tif 000057
2004500497.tif 000058
2004500497.tif 000059
2004500497.tif 000060
2004500497.tif 000061
2004500497.tif 000062
2004500497.tif 000063
2004500497.tif 000064
2004500497.tif 000065
2004500497.tif 000066
2004500497.tif 000067
2004500497.tif 000068
2004500497.tif 000069
2004500497.tif 000070
2004500497.tif 000071
2004500497.tif 000072
2004500497.tif 000073
2004500497.tif 000074
2004500497.tif 000075
2004500497.tif 000076
2004500497.tif 000077
2004500497.tif 000078
2004500497.tif 000079
2004500497.tif 000080
2004500497.tif 000081
2004500497.tif 000082
2004500497.tif 000083
2004500497.tif 000084
2004500497.tif 000085
2004500497.tif 000086
2004500497.tif 000087
2004500497.tif 000088
2004500497.tif 000089
2004500497.tif 000090
2004500497.tif 000091
2004500497.tif 000092
2004500497.tif 000093
2004500497.tif 000094
2004500497.tif 000095
2004500497.tif 000096
2004500497.tif 000097
2004500497.tif 000098
2004500497.tif 000099
2004500497.tif 000100
2004500497.tif 000101
2004500497.tif 000102
【国際調査報告】
2004500497.tif 000103